(57)【要約】  本発明は、拡張可能な人工心臓弁を患者の心腔内に送達、配置、および／または再配置するための方法、装置、およびシステムを提供する。少なくとも１つのループなしワイヤおよびループ付きワイヤの対は、拡張した人工心臓弁と動作可能に接続されており、拡張した人工心臓弁は、その遠位端が対象の心腔内に配置された送達カテーテル管腔内で折り畳まれる。折り畳まれた人工心臓弁は、送達カテーテル管腔を通って並進移動され、送達カテーテル管腔の遠位端に入り、この遠位端から出て、そこで人工心臓弁は作動構成に拡張する。ループなしおよびループ付きワイヤの対のうちのワイヤは、拡張した人工ステントを所定の位置に配置または再配置するために近接して引っ張るか、または遠位に押すことによって操作され、次いで配置されたステントとの接続から解放され、患者から抜去される。【選択図】図１
2021527545.tif 000002
【特許請求の範囲】
【請求項１】
患者の心腔内に折り畳み可能かつ拡張可能なステントを送達、配置、および／または再配置するためのシステムであって、前記システムは、
ループなしワイヤとループ付きワイヤとを含む少なくとも１つのループなしワイヤおよびループ付きワイヤの対と、
近位端および遠位端を有する管腔を備えた送達カテーテルと
を備え、
前記ワイヤの対の遠位端は、前記ステントの少なくとも１つの支柱と動作可能かつ解放可能に接続され、
前記ワイヤの対のうちの各ワイヤの近位端は、前記患者の外側に延在し、
前記ワイヤの対のうちの各ワイヤは、前記送達カテーテルの前記管腔を通って並進移動し、前記管腔内で回転するように適合されている、
システム。
【請求項２】
前記少なくとも１つのループなしワイヤおよびループ付きワイヤの対は、２つの支柱間の接合部と動作可能に接続される、請求項１に記載のシステム。
【請求項３】
前記ループなしワイヤは、前記接合部の周りに巻き付いて、前記ループ付きワイヤの遠位端に形成されたループを通って延びる、請求項２に記載のシステム。
【請求項４】
少なくとも３つのワイヤの対を備え、
各ワイヤの対は、他のワイヤの対から離れた位置で少なくとも１つの支柱に係合する、
請求項１に記載のシステム。
【請求項５】
前記少なくとも１つのループなしワイヤおよびループ付きワイヤの対のうちの各ループ付きワイヤの近位端に、解放可能なロックをさらに備える、請求項１に記載のシステム。
【請求項６】
前記少なくとも１つのループなしワイヤおよびループ付きワイヤの対のうちの各ループなしワイヤの近位端に、解放可能なロックをさらに備える、請求項１に記載のシステム。
【請求項７】
前記少なくとも１つのループなしワイヤおよびループ付きワイヤの対のうちの各ループ付きワイヤの近位端に、解放可能なロックをさらに備える、請求項６に記載のシステム。
【請求項８】
前記各ワイヤの対のうちの前記ループ付きワイヤおよび前記ループなしワイヤは、前記解放可能なロックがロック解除されているときには、互いに対して独立して並進移動するように適合されている、請求項７に記載のシステム。
【請求項９】
前記各ワイヤの対のうちの前記ループ付きワイヤおよび前記ループなしワイヤは、前記解放可能なロックがロックされているときには、互いに対して独立して並進移動することが防止される、請求項８に記載のシステム。
【請求項１０】
前記折り畳み可能かつ拡張可能なステントは、上端および下端を備え、
前記少なくとも１つのループなしおよびループ付きワイヤの対の前記遠位端は、前記折り畳み可能かつ拡張可能なステントの下端で動作可能に接続される、
請求項１に記載のシステム。
【請求項１１】
前記折り畳み可能かつ拡張可能なステントは、前記折り畳み可能かつ拡張可能なステントの外面の少なくとも一部を覆うファブリックスカートを備え、
前記少なくとも１つのループなしおよびループ付きワイヤの対のうちの前記ループなしワイヤは、前記ファブリックスカートを通って延び、前記接合部の周りに巻き付けられ、前記少なくとも１つのループなしおよびループ付きワイヤの対のうちの前記ループ付きワイヤの遠位端に形成されたループを通って延びる、
請求項１０に記載のシステム。
【請求項１２】
患者の心腔内に折り畳み可能かつ拡張可能なステントフレームを送達、配置、および／または再配置するための方法であって、前記方法は、
少なくとも１つのループなしワイヤおよびループ付きワイヤの対を提供することであって、前記ワイヤの対の遠位端は、ステントの２つの支柱間の接合部と作動可能かつ解放可能に接続され、前記ワイヤの対のうちの各ワイヤの近位端は、前記患者の外側に延在することと、
近位端および遠位端を有する管腔を備えた送達カテーテルを提供することと、
前記送達カテーテルの前記遠位端を前記心腔内に配置することと、
拡張した構成にある前記ステントを前記送達カテーテルの前記管腔の前記近位端内に進めて、前記ステントを折り畳まれた構成に折り畳むことと、
前記折り畳まれた構成にある前記折り畳まれたステントを、前記送達カテーテルの前記管腔を通して遠位に並進移動させることと、
前記折り畳まれたステントを前記送達カテーテルの前記管腔の前記遠位端から送達し、前記ステントを拡張した作動構成に拡張することと、
前記少なくとも１つのループなしワイヤおよびループ付きワイヤの対のうちの各ワイヤの前記近位端を操作して、前記拡張したステントを前記患者の心腔内に配置することと、
前記ループ付きワイヤから前記ループなしワイヤを解放して、前記少なくとも１つのループなしワイヤおよびループ付きワイヤの対のそれぞれを、前記拡張され配置されたステントから切り離すことと、
各ループなしワイヤおよびループ付きワイヤを、前記送達カテーテル管腔を通して近位方向に抜去することと
を含む、方法。
【請求項１３】
前記患者の心腔は左心房を含み、
前記送達カテーテルは、前記拡張したステントの前記左心房への経中隔送達を提供するように配置される、
請求項１２に記載の方法。
【請求項１４】
前記送達カテーテルは、経心尖、経大腿、経心房、および経中隔からなる送達技術の群のうちの１つにより、前記患者の心腔へのアクセスを提供するように配置される、請求項１２に記載の方法。
【請求項１５】
前記ステントは下端および上端を備え、前記下端は前記患者の生来の僧帽弁に隣接して配置される、請求項１３に記載の方法。
【請求項１６】
前記少なくとも１つのループなしワイヤおよびループ付きワイヤの対は、前記ステントの下端にある２つの支柱間の接合部と動作可能に接続される、請求項１４に記載の方法。
【請求項１７】
前記ステントは、ファブリックスカートによって少なくとも部分的に覆われた下部外面を備え、
前記少なくとも１つのループなしワイヤおよびループ付きワイヤの対は、前記ファブリックスカートを通って延び、前記ステントの前記下端にある２つの支柱間の接合部と動作可能に接続される、
請求項１４に記載の方法。
【請求項１８】
少なくとも３つのワイヤの対を提供することをさらに含み、
各ワイヤの対は、他のワイヤの対から離れた位置で２つの支柱間の接合部と係合する、
請求項１２に記載の方法。
【請求項１９】
前記少なくとも１つのループなしおよびループ付きワイヤの対のうちの前記ループなしワイヤの近位端に動作可能に係合する解放可能なロックをさらに備える、請求項１２に記載の方法。
【請求項２０】
前記少なくとも１つのループなしおよびループ付きワイヤの対のうちの各ループ付きワイヤに動作可能に係合する解放可能なロックをさらに備える、請求項１８に記載の方法。
【請求項２１】
前記解放可能なロックをロックすることにより、各ワイヤの対のうちのループなしワイヤおよびループ付きワイヤが互いに対して移動するのを防止する、請求項１９に記載の方法。
【請求項２２】
前記解放可能なロックのうちの少なくとも１つをロック解除することにより、前記少なくとも１つのループなしおよびループ付きワイヤの対のうちの前記ループなしワイヤと前記ループ付きワイヤとの間の相対移動が可能となる、請求項１９に記載の方法。
【発明の詳細な説明】
【技術分野】
【０００１】
関連出願の相互参照
本出願は、２０１９年９月１２日に出願され、「ＲＥＰＯＳＩＴＩＯＮＩＮＧ  ＷＩＲＥＳ  ＡＮＤ  ＭＥＴＨＯＤＳ  ＦＯＲ  ＲＥＰＯＳＩＴＩＯＮＩＮＧ  ＰＲＯＳＴＨＥＴＩＣ  ＨＥＡＲＴ  ＶＡＬＶＥ  ＤＥＶＩＣＥＳ  ＷＩＴＨＩＮ  Ａ  ＨＥＡＲＴ  ＣＨＡＭＢＥＲ  ＡＮＤ  ＲＥＬＡＴＥＤ  ＳＹＳＴＥＭＳ，ＤＥＶＩＣＥＳ  ＡＮＤ  ＭＥＴＨＯＤＳ」と題された米国実用特許出願（Ｕ．Ｓ．Ｕｔｉｌｉｔｙ  Ａｐｐｌｉｃａｔｉｏｎ）第１６／５６８９０３号に対する優先権を主張し、また２０１８年９月１４日に出願され、「ＲＥＰＯＳＩＴＩＯＮＩＮＧ  ＷＩＲＥＳ  ＡＮＤ  ＭＥＴＨＯＤＳ  ＦＯＲ  ＲＥＰＯＳＩＴＩＯＮＩＮＧ  ＰＲＯＳＴＨＥＴＩＣ  ＨＥＡＲＴ  ＶＡＬＶＥ  ＤＥＶＩＣＥＳ  ＷＩＴＨＩＮ  Ａ  ＨＥＡＲＴ  ＣＨＡＭＢＥＲ」と題された米国特許仮出願第６２／７３１，２３０号の便益を主張する。これらの出願の全内容は、参照により本明細書に組み込まれる。
【０００２】
連邦政府による資金提供を受けた研究開発の記載
該当せず
【０００３】
参照による援用
本明細書に記載されている刊行物、特許出願および特許を含むがこれらに限定されないすべての参考文献は、各参考文献が参照により組み込まれることが具体的かつ個別に示されている場合と同一の程度および同一の効果で、参照により本明細書に組み込まれる。
【０００４】
本明細書に記載される本発明は、心臓弁を送達および／または配置するための送達システム、装置、および方法に関する。
【背景技術】
【０００５】
ヒトの心臓は、心臓を通る血液の順方向（順行性）の流れを助ける４つの心腔と４つの心臓弁とを備えている。心腔には、左心房、左心室、右心房、および右心室が含まれる。４つの心臓弁には、僧帽弁、三尖弁、大動脈弁、肺動脈弁が含まれる。
【０００６】
僧帽弁は左心房と左心室との間に位置し、左心房への逆流を防ぐための一方向弁として機能することにより、左心房から左心室への血流の制御を助ける。同様に、三尖弁は右心房と右心室との間に位置し、一方、大動脈弁および肺動脈弁は、心臓から血液を流す動脈内に位置する半月弁である。弁はすべて一方向弁であり、順方向（順行性）の血流を可能にするように開放する弁尖を有する。正常に機能している弁尖は、逆流した血液によって加えられる圧力を受けて閉鎖し、血液が流出したばかりの心腔内への血液の逆流（逆行）を防止する。
【０００７】
生来の心臓弁は、疾患、外傷、先天性奇形、および加齢を含むがこれらに限定されない様々な理由および／または状態のために機能不全であるか、または機能不全になる可能性がある。この種の状態により、弁構造が適切に開放することができなくなったり（狭窄障害）、かつ／または適切に閉鎖することができなくなったりする（逆流）可能性がある。
【０００８】
僧帽弁逆流症は、僧帽弁の機能不全に起因する特定の問題である。僧帽弁逆流症は、右心房から左心房へ戻る少なくともいくらかの逆行した血流を許容する僧帽弁に起因する。この血液の逆流は、僧帽弁逆流症の長期の臨床経過中にかなり変化する、心室腔の大きさおよび形状のリモデリングを含む、一連の左心室の代償的適応および調整につながり得る体積負荷で左心室に負担をかける。
【０００９】
したがって、一般に、僧帽弁などの生来の心臓弁は、部分的または完全な置換を含む、機能的修復および／または補助を必要とすることがある。そのような介入は、開心術および置換心臓弁の開心移植を含むいくつかの形態をとり得る。侵襲性が高く、患者のリスクを伴い、長期の入院だけでなく非常に痛みを伴う回復期間も必要とする処置については、例えば、米国特許第４，１０６，１２９号（Ｃａｒｐｅｎｔｉｅｒ）を参照されたい。
【００１０】
機能不全の心臓弁を置換するための低侵襲性の方法および装置も知られており、経皮的アクセスおよび置換弁のカテーテル促進送達（ｃａｔｈｅｔｅｒ−ｆａｃｉｌｉｔａｔｅｄ  ｄｅｌｉｖｅｒｙ）が含まれる。これらの解決策のほとんどは、当技術分野で一般に知られているステントなどの構造的支持体、または送達カテーテルからの解放時に拡張するように設計された他の形態のワイヤネットワークに取り付けられた置換心臓弁を含む。例えば、米国特許第３，６５７，７４４号（Ｅｒｓｅｋ）、米国特許第５，４１１，５５２号（Ａｎｄｅｒｓｅｎ）を参照されたい。支持ステントの自己拡張型の変形例は、対象となる心腔または血管内において、弁を配置し、拡張した装置を適所に保持するのを助ける。この自己拡張形態はまた、よくあることだが、最初の配置の試みで装置が適切に配置されず、したがって装置を再捕捉して位置を調整する必要がある場合に問題を呈する。完全にまたは部分的にでも拡張した装置の場合のこの再捕捉プロセスは、操作者が折り畳まれた装置を送達シースまたはカテーテルに引き戻し、装置の到着位置を調整し、次いで位置調整された装置を送達シースまたはカテーテルから遠位に再展開することにより、適切な位置に再拡張できるようになる程度に、装置を再び折り畳むことを必要とする。拡張したステントまたはワイヤネットワークは、一般に、収縮力または折り畳み力にも耐える拡張状態を達成するように設計されているため、すでに拡張した装置を折り畳むことは困難である。
【００１１】
上記の開心外科的アプローチに加えて、目的の弁へのアクセスを得ることは、少なくとも以下の既知のアクセス経路、すなわち、経心尖送達技術、経大腿送達技術、経心房送達技術、および経中隔送達技術のうちの１つによって、経皮的に行われる。
【００１２】
一般に、当技術分野は、上述の公知のアクセス経路のうちの１つを使用して、折り畳まれた弁装置の部分的な送達を可能にするシステムおよび方法に焦点を合わせており、
この場合、装置の一端は送達シースまたはカテーテルから解放され、初期の配置のために拡張され、その後、適切な配置が行われると完全に解放され拡張される。例えば、米国特許第８，８５２，２７１号（Ｍｕｒｒａｙ、ＩＩＩ）、米国特許第８，７４７，４５９号（Ｎｇｕｙｅｎ）、米国特許８，８１４，９３１号（Ｗａｎｇ）、米国特許９，４０２，７２０号（Ｒｉｃｈｔｅｒ）、米国特許８，９８６，３７２号（Ｍｕｒｒａｙ、ＩＩＩ）および米国特許９，２７７，９９１号（Ｓａｌａｈｉｅｈ）、ならびに米国特許出願公開第２０１５／０２７２７３１号（Ｒａｃｃｈｉｎｉ）および米国特許出願公開第２０１６／０２３５５３１号（Ｃｉｏｂａｎｕ）を参照されたい。
【先行技術文献】
【特許文献】
【００１３】
【特許文献１】米国特許第４，１０６，１２９号明細書
【特許文献２】米国特許第３，６５７，７４４号明細書
【特許文献３】米国特許第５，４１１，５５２号明細書
【特許文献４】米国特許第８，８５２，２７１号明細書
【特許文献５】米国特許第８，７４７，４５９号明細書
【特許文献６】米国特許第８，８１４，９３１号明細書
【特許文献７】米国特許第９，４０２，７２０号明細書
【特許文献８】米国特許第８，９８６，３７２号明細書
【特許文献９】米国特許第９，２７７，９９１号明細書
【特許文献１０】米国特許出願公開第２０１５／０２７２７３１号明細書
【特許文献１１】米国特許出願公開第２０１６／０２３５５３１号明細書
【発明の概要】
【発明が解決しようとする課題】
【００１４】
しかしながら、既知の送達システム、装置、および方法は、とりわけ、配置、再配置、および／または再捕捉の能力および効率を含む、送達手法における重大な不具合に依然として悩まされている。
【００１５】
本明細書に開示されるいくつかの本発明の様々な実施形態は、とりわけ、これらの問題に対処する。
【課題を解決するための手段】
【００１６】
本発明は、拡張可能な人工心臓弁を患者の心腔内に送達、配置、および／または再配置するための方法、装置、およびシステムを提供する。少なくとも１つの、ループなしワイヤ（ｎｏｎ−ｌｏｏｐｅｄ  ｗｉｒｅ）およびループ付きワイヤ（ｌｏｏｐｅｄ  ｗｉｒｅ）の対は、拡張した人工心臓弁フレームと動作可能に接続され、拡張した人工心臓弁フレームは、その遠位端が対象の心腔内に配置された送達カテーテル管腔内で折り畳まれる。折り畳まれた人工心臓弁フレームは、送達カテーテル管腔を通って並進移動され（ｔｒａｎｓｌａｔｅｄ）、送達カテーテル管腔の遠位端に入り、この遠位端から出て、そこで人工心臓弁は作動構成に拡張する。ループなしおよびループ付きワイヤの対のうちのワイヤは、拡張した人工ステントを所定の位置に配置または再配置するために近接して引っ張るか、または遠位に押すことによって操作され、次いで配置されたステントとの接続から解放され、患者から抜去される。
【図面の簡単な説明】
【００１７】
【図１】本発明の一実施形態の遠位端の斜視図である。
【図２】本発明の一実施形態の斜視図である。
【図３】本発明の一実施形態の近位端の側面切断図である。
【発明を実施するための形態】
【００１８】
本発明の様々な実施形態は、図に開示されており、少なくとも以下の既知のアクセス経路、すなわち、経心尖送達技術、経大腿送達技術、経心房送達技術、および経中隔送達技術のうちの１つによって、目的の弁への経皮的アクセスを提供するためのものである。これらのアクセス経路のそれぞれは、本明細書に開示される実施形態に用いることができる。
【００１９】
図１は、一組の配置／解放ワイヤおよびループの対を含む、システム１００の例示的な実施形態の遠位端を示している。一組の配置／解放ワイヤおよびループの対は、送達カテーテルまたはシースの管腔内で並進移動可能かつ回転可能であり、送達カテーテルまたはシース１０２および送達カテーテルまたはシース１０２を通って画定された管腔１０４の遠位端から遠位方向外方に延びている。各対は、ループ付きワイヤＬとループなしワイヤＷとからなる。示したように、ループなしワイヤＷとループ付きＬワイヤとの３つの対が備えられているが、当業者には、わずか１つおよび４つ以上のワイヤの対を用いてもよいことが分かるであろう。各ループなしワイヤＷは、例示的なステントの１つまたは複数の支柱の周りに通されるか、または他の場合にはそのような１つまたは複数の支柱に動作可能に接続され、さらにループ付きワイヤＬの遠位端に形成されたループに通されて、好ましくは、以下でさらに議論するように、ステントセルの一部を形成する２つの支柱間の接合部で、ループなしおよびループ付きワイヤの対を形成してもよい。
【００２０】
配置および再配置の観点から、ステントが心腔内に送達され拡張されたならば、ステントフレーム上の離れた位置にループなしワイヤＷおよびループ付きワイヤＬの対の接続を提供して、拡張するフレームまたは拡張したフレームの位置を変更する操作者の能力を最適化することが有利である。よって、第１のワイヤの対をステントフレームの一方の側に提供することができ、第２のワイヤの対をステントフレームの他方の側に提供することができる。このシステムでは、これで、操作者が、ワイヤおよび／もしくはループならびに／またはワイヤおよびループの対のうちの１つまたは複数を近位方向に引っ張ること、および／または遠位方向に押すことによって、拡張したステントフレームの位置を操作することが可能となる。第３のワイヤの対は、再配置および操作能力をさらに強化するために、例えば、拡張したステントの上部近くなど、第１のワイヤの対および第２のワイヤの対から離れた別の位置に提供され得る。これらの接続位置は単なる例示であり、当業者には、複数のそのような位置が可能であり、それらの位置のそれぞれが本発明の範囲内にあることが分かるであろう。
【００２１】
図２は、相互接続されたループなしワイヤＷおよびループ付きワイヤＬと、セルＣを形成または画定する支柱２０２を相互接続することによって形成されたステントフレーム２０１によって画定される拡張可能かつ折り畳み可能な人工僧帽弁２００の拡張したステントフレーム２００との接続とを含む、そのようなループなしワイヤＷおよびループ付きワイヤＬの対Ｐの１つを示している。セルＣは、示したように、２つの支柱２０２が動作可能に係合または相互接続されている接合点Ｊによって形成されている。図２の例示的な人工心臓弁では、下部外面２０４の一部は、ファブリックスカート２０６によって覆われており、関連する人工弁尖（図示せず）が取り付けられる弁支持体２０８は、ステントフレーム２０１によって画定される内部Ｉ内に配置されている。よって、例示的な人工僧帽弁は、上部領域２１０から下部領域２１２への一方向の流れを提供し、当業者には分かるように、弁尖が弁機能を行う。よって、拡張した例示的な人工僧帽弁は左心房をふさぎ、下面２１４は左心房内の上部環状面（ｕｐｐｅｒ  ａｎｎｕｌａｒ  ｓｕｒｆａｃｅ（上部弁輪面））上に存在し、弁支持体は、弁尖を通り、弁輪へ、そして弁輪を通って左心室に通じる流路を提供する。
【００２２】
この例示的な図示された場合では、接続されたワイヤの対Ｐを形成するワイヤおよびループの接続は、人工心臓弁の下部領域２１２内の下端または遠位端で行われ、示したように、２つの支柱２０２間の接合部Ｊに動作可能に係合および接続する。ファブリックスカート２０６が対象の支柱２０２およびそれらの間に形成された接合部Ｊを覆っているので、ループなしワイヤＷおよび／またはループ付きワイヤＬは、ファブリックを貫通して対象の支柱に到達し、対象の支柱と接続することができる。さらに、示したように、上記のワイヤおよびループの接続は、好ましくは、２つの支柱２０２の接合部Ｊで行われ、接合部Ｊの周りに巻き付いて、ファブリックスカート２０６の望ましくない引き裂きを生じ得る、支柱２０２に沿った接続の双方の望ましくない摺動を防止する。上記で論じたように、２つ以上、または複数の、ループなしおよびループ付きワイヤの対Ｐはまた、同一または同様の方法で、第１のループなしおよびループ付きワイヤの対Ｐに対して間隔を置いて接続され得る。ループなしおよびループ付きワイヤの対Ｐは、示したように、人工僧帽弁装置の遠位端または下端で支柱接合部Ｄに動作可能に接続されるので、左心房への経中隔送達では、ステント２０１の上部領域２１０が、ステントの遠位端もしくは下端または遠位領域もしくは遠位領域２１２の前に、最初に送達カテーテル１０２の管腔１０４を退出して左心房に入る。接続されたワイヤの対Ｐを使用して、下面２１４が左心房内の上部環状面と少なくとも部分的に係合するように、拡張したステント２０１を転回させて配置することができる。
【００２３】
ループなしおよびループ付きの対Ｐは、送達カテーテル１０２に沿った対象の心腔への並進移動送達（ｔｒａｎｓｌａｔｉｏｎａｌ  ｄｅｌｉｖｅｒｙ）のために人工心臓弁ステントフレーム２０１を送達カテーテル１０２の近位端および管腔１０４内に折り畳む前に接続され、人工心臓弁フレームの拡張は、人工心臓弁フレームが送達カテーテル１０２の管腔１０４の遠位端から解放されるときに起こることを理解されたい。よって、ループなしおよびループ付きワイヤの対Ｐは、送達カテーテル１０２の管腔１０４を通って延在し、遠位端が対象の心腔に到達でき、一方、操作者がワイヤの対Ｐにおいて接続されたループなしワイヤＷおよびループ付きワイヤＬの近位端を操作できるようにする長さを備え得る。さらに、いくつかの実施形態では、２本以上のループなし配置ワイヤＷをループ付きワイヤＷと組み合わせてもよい。他の実施形態では、２本以上のループ付きワイヤＬを１本のループなしワイヤＷと組み合わせてもよい。
【００２４】
したがって、このシステムでは、近位端からステントの位置を操作するために、ループなしワイヤＷおよびループ付きワイヤＬを、プッシュワイヤおよび／またはプルワイヤとして、互いに対して移動するワイヤの対Ｐおよび／または互いに対して移動する個々のループなしワイヤＷおよびループ付きワイヤＬのいずれかとして使用して、拡張したステント２０１を、１つまたは複数の平面において操作することができることが当業者には分かるであろう。
【００２５】
図３は、２つの再配置／解放ワイヤおよびループの対Ｐを示す送達装置１００の例示的な近位端を示している。対Ｐの各ループ付きワイヤＬは、対ＰのループなしワイヤＷおよびループ付きワイヤＬの一方または双方をロックまたはロック解除／解放するために用いることができるルアーロックまたは同等の装置１２０に接続され得る。対Ｐの一方または双方のワイヤＬ、Ｗをロックすると、ロックされたワイヤの相対的な位置および移動は、ロックが解除されるか、または解放されるまで固定される。操作者は、ワイヤの対Ｐのうちの１つまたは複数を押すことおよび／または引くことによって、すべてのロック１０２が係合されている場合には、ステント２０１の位置を操作することができる。対Ｐの一方または双方のワイヤＬ、Ｗのロックを解除することにより、操作者は、近位端からワイヤＬ、Ｗを押すことおよび／または引っ張ることが可能となり、したがって、ワイヤおよびループの対Ｐが接続された拡張するステントおよび／または拡張したステントを配置および／または再配置できるようになる。上記で論じたように、装置内には、１つ、２つ、３つ、またはそれ以上のそのようなワイヤおよびループの対Ｐが存在し得る。対Ｐの双方のワイヤＬ、Ｗのロックを解除することにより、各ワイヤＬ、Ｗの並進移動および回転、ならびに互いに対する並進移動および回転が可能になる。
【００２６】
本明細書でさらに論じられるように、図２の拡張可能かつ折り畳み可能なステントフレーム２０１を含む例示的な人工心臓弁２００は、拡張した心臓弁の下部または遠位領域２１２と接続された１つまたは複数のワイヤおよびループの対Ｐを含み得る。次に、拡張した人工心臓弁は、送達カテーテル管腔１０４内でその近位端において折り畳まれ、折り畳まれた構成で患者の左心房に並進移動され、そこで解放され、図２に示すような作動構成に拡張される。上端もしくは上部領域２１０、または下端もしくは遠位領域２１２のいずれかが最初に折り畳まれて、送達カテーテル１０２の管腔１０４内に導入され得る。ステントフレーム２０１が送達カテーテル１０２の管腔１０４の遠位端から出現するか、または出現し始めたときに、ワイヤの対Ｐを使用して、拡張するステントフレームまたは拡張したステントフレーム２０１の位置を操作または変更して、ステントの下面２１４ならびに関連する弁支持体２０８および人工弁尖を、生来の弁輪および僧帽弁と向きを合わせることができる。この配置は、ステント２００およびそれを通る流体流路を生来の弁輪と整合させて、生来の弁輪との流体連通および生来の弁輪を通る流体連通を可能にするために、ワイヤおよびループの対Ｐ、および／または個々のループなしワイヤＷおよびループ付きワイヤＬを操作することによって行うことができる。さらに、人工弁装置２００の初期の配置が最適でない場合には、ワイヤおよびループの対Ｐ、および／または個々のループなしワイヤＷおよびループ付きワイヤＬを使用して、最適な配置が得られるまで、操作および再配置を行うことができる。最適な配置が得られた時点で、ワイヤおよびループの対Ｐは、ステントフレーム２０１から切り離され、送達カテーテル管腔１０４を通して近位方向に抜去され得る。
【００２７】
本明細書に記載の本発明およびその用途の説明は例示的なものであり、本発明の範囲を限定することを意図するものではない。様々な実施形態の特徴は、本発明の企図の範囲内において他の実施形態と組み合わせることができる。本明細書に開示される実施形態の変形および修正が可能であり、実施形態の様々な要素の実際的な代替物および均等物は、この特許文献を検討することにより当業者には理解されよう。本明細書に開示される実施形態のこれらおよび他の変形および修正は、本発明の範囲および趣旨から逸脱することなく行うことができる。
【図１】
2021527545.tif 000003
【図２】
2021527545.tif 000004
【図３】
2021527545.tif 000005
【国際調査報告】
2021527545.tif 000006